(57)【要約】【課題】外気温度が還気温度以下の場合は、還気を空調機で冷やすより、外気を空調機で冷やす方が、必要となる投入熱量を少なくすることができるため、外気導入を継続し、空調機により冷却することで、同じ投入熱量で現状より長い時間冷房運転を行うことができる外気冷房システムの制御方法を提供すること。【解決手段】本発明の外気冷房システムは、還気温度センサーと還気の取り入れ量を調整可能に制限する還気ダクトモータダンパーと、外気温度センサーと外気の取り入れを調整可能に制限する外気取入モータダンパーと、熱交換器に循環させる冷水の循環を調整する冷水２方弁及び室内設定温度を入力する入力部を有し、外気温度センサー及び還気温度センサーと通信可能に接続され、前記外気取入モータダンパー及び還気ダクトモータダンパーを制御可能に接続されている空調制御手段と、を備えた。【選択図】図１
2009198089.tif 000002
【特許請求の範囲】
【請求項１】
室内に接続された還気ダクトと前記還気ダクトの内部に備えられた還気温度センサーと前記室内の過剰の還気を外気に排出する排気ダクトと前記過剰の還気のうち一部の還気の取り入れ量を調整可能に制限する還気ダクトモータダンパーとを有する還気手段と、
外気を取入る外気取入ダクトと前記外気取入ダクトの内部に備えられた外気温度センサーと外気の取り入れを調整可能に制限する外気取入モータダンパーとを有する外気取入手段と、
前記外気取入モータダンパーに接続された空気混合部であって前記外気取入ダクトより送られた外気及び前記還気手段と接続され還気を取入る還気取入口より送られてきた還気を混合して熱交換器に送り混合気にする空気混合部と前記混合気を前記熱交換器において冷却する熱交換部と冷却された混合気を室内に給気として送る送風部とを有し、前記室内に接続されている空調手段と、
冷水を熱交換器に循環させる冷却装置と冷水の循環を調整可能に制限する冷水２方弁と前記室内の温度である室内設定温度を入力する入力部とを有し、前記外気温度センサー及び前記還気温度センサーと通信回線により通信可能に接続され、前記外気取入モータダンパー及び還気ダクトモータダンパーと制御可能に接続されている空調制御手段と、を備えた外気冷房システムの制御方法であって、
前記還気温度センサーが出力する還気温度が前記室内設定温度より低い場合、前記空調制御手段は前記冷水２方弁を全閉にさせ、前記還気温度が前記室内設定温度より高く、前記室内設定温度より高い所定の第２の温度以下の場合、前記空調制御手段は、前記冷水２方弁を温度変化に比例して開けさせ、前記還気温度が前記所定の第２の温度以上の場合、前記空調制御手段は、前記冷水２方弁を全開にさせ、
前記還気温度が前記室内設定温度より低い所定の第１の温度以下の場合、前記空調制御手段は、前記還気ダクトモータダンパーを全開させ、前記外気取入モータダンパーを所定の開度にさせ、還気温度が前記所定の第１の温度と前記室内設定温度との間の場合、前記空調制御手段は、前記還気ダクトモータダンパーを温度変化に比例して閉じさせ、前記外気取入モータダンパーを温度変化に比例して開かせ、還気温度が前記室内設定温度の場合、前記還気ダクトモータダンパーを全閉にさせ、前記外気取入モータダンパーを全開にさせ、還気温度が前記室内設定温度より高い場合、前記空調制御手段は、前記還気ダクトモータダンパーを全閉にさせ、還気温度が前記室内設定温度より高く、外気温度が還気温度より高い場合、前記外気取入モータダンパーを全閉にさせ、還気温度が前記室内設定温度より高く、外気温度が還気温度より低い場合、前記外気取入モータダンパーを全開にさせる外気冷房システムの制御方法。
【発明の詳細な説明】
【技術分野】
【０００１】
本発明は、冷房システム、装置、制御方法に係り、特に、外気を用いて冷房を行う外気冷房を行うシステムを制御する方法に関する。
【背景技術】
【０００２】
従来より、商業施設においては、冷房負荷は１年を通じてあり、ガス焚き吸収式冷温水器や電気式ターボ冷凍機などの冷房設備により冷水を作り各空調機に送っている。
【０００３】
最近の施設では、冬季の外気温度が低いときは、冷房設備を停止し、外気をダクトから直接空調機に引き込み、外気冷房を行うことで、投入熱量の減少を図っている。
【０００４】
下記の特許文献１には、機内に吸込送風通路、外気送風通路及び排気送風通路を有し、送風通路内冷、温水コイル、加湿器等の熱交換装置を各々設置され、各々の送風通路間に送風通路切換え用の複数のダンパー機構を設置される空調ユニットＡと、機内外気導入通路、排気通路を有し、送風通路内に外気送風機及び排気送風機を各々設置された他方送風機ユニットＢが並列に設置され、各ダンパーの操作により、冷房と外気冷房とを切り替えることができるカセット型空調機が開示されている。
【０００５】
下記の特許文献２には、外気導入量を調節するダンパー機構の作動時には、室内送風機は停止し、ダンパーへの風圧はかからないので、ダンパーモータのトルクは小さくて済む。これにより、本発明によれば、ダンパーモータ容量の小形化、ダンパー機構の簡素化を可能とする外気冷房機能付き空気調和機が開示されている。
【特許文献１】特開平７−５５１８５号公報
【特許文献２】特開平９−４２７４５号公報
【発明の開示】
【発明が解決しようとする課題】
【０００６】
しかし、現状では、外気を用いた冷房方法は冬期の外気温度が、給気温度よりも低い温度である場合、還気温度を給気温度まで下げるために外気取入ダクトダンパーと還気ダクトダンパーを制御して、外気と還気を混合して、給気温度としている。外気温度が低い場合、外気取入量は少ないが、外気温度が給気温度と同じ温度になると、還気を用いず、全量外気取入となる。更に外気温度が高くなると、外気を用いず、全量還気を用いて冷却する通常の冷房運転に移行している。
【０００７】
本発明の外気冷房システム制御方法は、外気温度が還気温度以下の場合は、還気を空調機で冷やすより、外気を空調機で冷やす方が、所定の給気温度を得るために必要となる投入熱量を少なくすることができるため、外気導入を継続し、給気温度まで必要分のみ空調機により冷却することで、外気冷房を使用する温度範囲が広くなり、一年のうち、一日の外気温度の変化が還気温度を跨ぐ時期においては、同じ投入熱量で午前中と日没以降において、現状より長い時間冷房運転を行うことができる。
【課題を解決するための手段】
【０００８】
上記目的を達成するため、本発明者らは、外気温度が還気温度以下の場合は外気を全量取入ることで、冷房に要する投入熱量を減ずる方法を見出し、本発明を完成するに至った。
【０００９】
（１）  室内に接続された還気ダクトと前記還気ダクトの内部に備えられた還気温度センサーと前記室内の過剰の還気を外気に排出する排気ダクトと前記過剰の還気のうち一部の還気の取り入れ量を調整可能に制限する還気ダクトモータダンパーとを有する還気手段と、外気を取入る外気取入ダクトと前記外気取入ダクトの内部に備えられた外気温度センサーと外気の取り入れを調整可能に制限する外気取入モータダンパーとを有する外気取入手段と、前記外気取入モータダンパーに接続された空気混合部であって前記外気取入ダクトより送られた外気及び前記還気手段と接続され還気を取入る還気取入口より送られてきた還気を混合して熱交換器に送り混合気にする空気混合部と前記混合気を前記熱交換器において冷却する熱交換部と冷却された混合気を室内に給気として送る送風部とを有し、前記室内に接続されている空調手段と、冷水を熱交換器に循環させる冷却装置と冷水の循環を調整可能に制限する冷水２方弁と前記室内の温度である室内設定温度を入力する入力部とを有し、前記外気温度センサー及び前記還気温度センサーと通信回線により通信可能に接続され、前記外気取入モータダンパー及び還気ダクトモータダンパーと制御可能に接続されている空調制御手段と、を備えた外気冷房システムの制御方法であって、前記還気温度センサーが出力する還気温度が前記室内設定温度より低い場合、前記空調制御手段は前記冷水２方弁を全閉にさせ、前記還気温度が前記室内設定温度より高く、前記室内設定温度より高い所定の第２の温度以下の場合、前記空調制御手段は、前記冷水２方弁を温度変化に比例して開けさせ、前記還気温度が前記所定の第２の温度以上の場合、前記空調制御手段は、前記冷水２方弁を全開にさせ、前記還気温度が前記室内設定温度より低い所定の第１の温度以下の場合、前記空調制御手段は、前記還気ダクトモータダンパーを全開させ、前記外気取入モータダンパーを所定の開度にさせ、還気温度が前記所定の第１の温度と前記室内設定温度との間の場合、前記空調制御手段は、前記還気ダクトモータダンパーを温度変化に比例して閉じさせ、前記外気取入モータダンパーを温度変化に比例して開かせ、還気温度が前記室内設定温度の場合、前記還気ダクトモータダンパーを全閉にさせ、前記外気取入モータダンパーを全開にさせ、還気温度が前記室内設定温度より高い場合、前記空調制御手段は、前記還気ダクトモータダンパーを全閉にさせ、還気温度が前記室内設定温度より高く、外気温度が還気温度より高い場合、前記外気取入モータダンパーを全閉にさせ、還気温度が前記室内設定温度より高く、外気温度が還気温度より低い場合、前記外気取入モータダンパーを全開にさせる外気冷房システムの制御方法。
【００１０】
（１）記載の外気冷房システムの制御方法によれば、システムは、室内に接続された還気ダクトと還気ダクトの内部に備えられた還気温度センサーと室内の過剰の還気を外気に排出する排気ダクトと過剰の還気のうち一部の還気の取り入れ量を調整可能に制限する還気ダクトモータダンパーとを有する還気手段と、外気を取入る外気取入ダクトと外気取入ダクトの内部に備えられた外気温度センサーと外気の取り入れを調整可能に制限する外気取入モータダンパーとを有する外気取入手段と、外気取入モータダンパーに接続された空気混合部であって外気取入ダクトより送られた外気及び還気手段と接続され還気を取入る還気取入口より送られてきた還気を混合して熱交換器に送り混合気にする空気混合部と混合気を熱交換器において冷却する熱交換部と冷却された混合気を室内に給気として送る送風部とを有し、室内に接続されている空調手段と、冷水を熱交換器に循環させる冷却装置と冷水の循環を調整可能に制限する冷水２方弁と室内の温度である室内設定温度を入力する入力部とを有し、外気温度センサー及び還気温度センサーと通信回線により通信可能に接続され、外気取入モータダンパー及び還気ダクトモータダンパーと制御可能に接続されている空調制御手段と、を備えた。空調制御手段は還気温度センサーが出力する還気温度が室内設定温度より低い場合、冷水２方弁を全閉し、空調制御手段は還気温度が室内設定温度より高く、室内設定温度より高い所定の第２の温度以下の場合、冷水２方弁を温度変化に比例して開き、空調制御手段は還気温度が所定の第２の温度以上の場合、冷水２方弁を全開し、空調制御手段は還気温度が室内設定温度より低い所定の第１の温度以下の場合、還気ダクトモータダンパーを全開し、外気取入モータダンパーを所定の開度にし、空調制御手段は還気温度が所定の第１の温度と室内設定温度との間の場合、還気ダクトモータダンパーを温度変化に比例して閉じ、外気取入モータダンパーを温度変化に比例して開き、還気温度が室内設定温度の場合、還気ダクトモータダンパーを全閉し、外気取入モータダンパーを全開し、空調制御手段は還気温度が室内設定温度より高い場合、還気ダクトモータダンパーを全閉し、還気温度が室内設定温度より高く、外気温度が還気温度より高い場合、外気取入モータダンパーを全閉し、還気温度が室内設定温度より高く、外気温度が還気温度より低い場合、外気取入モータダンパーを全開する。したがって、システムは、還気温度より外気温度が低い場合に、外気を冷却して給気とすることで、還気を冷却するよりも少ない熱量で同じ温度の給気を得ることができ、一年のうち、一日の外気温度の変化が還気温度を跨ぐ時期においては、同じ投入熱量で午前中と日没以降において、現状より長い時間冷房運転を行うことができる。
【発明の効果】
【００１１】
本発明によれば、外気冷房システム制御方法において、外気温度が還気温度以下の場合は、還気を空調機で冷やすより、外気を空調機で冷やす方が、所定の給気温度を得るために必要となる投入熱量を少なくすることができるため、給気温度より外気温度が高い場合にも外気導入を行い、給気温度まで必要分のみ空調機により冷却することで、外気冷房を使用する温度範囲が広くなり、一年のうち、一日の外気温度の変化が還気温度を跨ぐ時期においては、同じ投入熱量で午前中と日没以降において、現状より長い時間冷房運転を行うことができる。
【発明を実施するための最良の形態】
【００１２】
以下、本発明の実施形態について添付した図面を参照しながら説明する。なお、これはあくまでも一例であって、本発明の技術的範囲はこれに限られるものではない。
【００１３】
図１は本発明に係る外気冷房システムであり、還気手段と、外気取入手段と、空調手段と、空調制御手段と、を含む。
【００１４】
還気手段は、室内２に接続された還気ダクト２３と、還気ダクト２３の内部に備えられた還気温度センサー２３１と、室内２の過剰の還気を外気に排出する排気ダクト２４と、過剰の還気のうち一部の還気の取り入れ量を調整可能に制限する還気ダクトモータダンパー２３２と、を有する。
【００１５】
外気取入手段は、外気を取入る外気取入ダクト２１と、外気取入ダクト２１の内部に備えられた外気温度センサー２１１と、外気の取り入れを調整可能に制限する外気取入モータダンパー２１２と、を有する。
【００１６】
空調手段は、外気取入モータダンパー２１２に接続された空気混合部であって、外気取入ダクト２１より送られた外気及び還気手段と接続され還気を取入る還気取入口より送られてきた還気を混合して熱交換器１１に送り混合気にする空気混合部と、混合気を熱交換器１１において冷却する熱交換部と、冷却された混合気を室内２に給気として送る送風部とを有する。
【００１７】
空調制御手段は、冷水を熱交換器１１に循環させる冷却装置１３と冷水の循環を調整可能に制限する冷水２方弁１１１と前記室内２の温度である室内設定温度を入力する入力部とを有し、前記外気温度センサー２１１及び前記還気温度センサー２３１と通信回線により通信可能に接続され、前記外気取入モータダンパー２１２及び還気ダクトモータダンパー２３２と冷水２方弁１１１とを通信回線により制御可能に接続されている。
【００１８】
上述の外気冷房システムにおいて、システムを制御して外気冷房を行う方法について、図２および図３を参照して以下説明をする。
【００１９】
図２は本発明の外気冷房システムにおいて、外気温度が還気温度より低い場合の、還気温度を横軸として、外気取入モータダンパー２１２、還気ダクトモータダンパー２３２、冷水２方弁１１１の開度を縦軸として互いの関係を示す図である。
【００２０】
空調制御手段は、還気温度が、室内設定温度より低い所定の第１の温度以下である場合、外気取入モータダンパー２１２を室内の換気に必要な所定の最小の開度にさせ、還気ダクトモータダンパー２３２を全開させ、冷水２方弁１１１を全閉させる。この場合、換気のための最小限の外気と還気が混合されて混合気となり、熱交換器１１を通過し、送風機１２により給気ダクト２２に送られて給気となる。冷水２方弁１１１は全閉のため、熱交換器での冷却は行われない。したがって、室内の人間等の熱源によって、室内２の空気は熱され、還気温度は上昇し、給気温度もほぼ還気温度の上昇に応じて上昇するため、室内温度は上昇し、室内設定温度に近づく。
【００２１】
空調制御手段は、還気温度が、室内設定温度より低い所定の第１の温度以下と室内設定温度の間の温度である場合、外気取入モータダンパー２１２を温度上昇に比例して開かせ、還気ダクトモータダンパー２３２を温度上昇に比例して閉じさせ、冷水２方弁１１１を全閉させる。この場合、給気に占める還気と外気の割合は、室内２の熱源により熱される還気の割合が室内設定温度に近づくほど減じ、一定の温度である外気の割合が増える。したがって、室内温度は上昇し、室内設定温度に近づく。室内温度の上昇は、還気温度が室内設定温度に近づくほど緩やかになる。
【００２２】
空調制御手段は、還気温度が、室内設定温度である場合、外気取入モータダンパー２１２を全開し、還気ダクトモータダンパー２３２を全閉し、冷水２方弁１１１を全閉させる。この場合、一定温度の外気が給気として室内に送られ、還気は全て排気となる。室内の熱源より還気に加えられた熱は全て排気とともに外部に送られる。したがって、室内の温度変化は緩やかになる。
【００２３】
空調制御手段は、還気温度が、室内設定温度と室内設定温度より高い所定の第２の温度の間の温度である場合、外気取入モータダンパー２１２を全開させ、還気ダクトモータダンパー２３２を全閉させ、冷水２方弁１１１を温度上昇に比例して開かせる。この場合、外気は熱交換器１１で冷却され、給気となり、室内に送られる。したがって、還気温度が室内設定温度から離れるほど、熱交換器１１に多くの冷却水が送られるため、給気温度は低くなり、還気温度は室内設定温度に近づく。外気温度が還気温度よりも低いため、還気を給気温度に冷やすよりも外気を給気温度に冷やす方が投入熱量は少なくなる。
【００２４】
空調制御手段は、還気温度が、室内設定温度より高い所定の第２の温度である場合、外気取入モータダンパー２１２を全開させ、還気ダクトモータダンパー２３２を全閉させ、冷水２方弁１１１を全開させる。この場合、外気は熱交換器１１で冷却され、給気として室内に送られる。したがって、熱交換器１１に冷却水が送られるため、給気温度は低くなり、還気温度は室内設定温度に近づく。外気温度が還気温度よりも低いため、還気を給気温度に冷やすよりも外気を給気温度に冷やす方が投入熱量は少なくなる。
【００２５】
図３は本発明の外気冷房システムにおいて、外気温度が還気温度より高い場合の、還気温度を横軸として、外気取入モータダンパー２１２、還気ダクトモータダンパー２３２、冷水２方弁１１１の開度を縦軸として互いの関係を示す図である。
【００２６】
空調制御手段は、還気温度が、室内設定温度以下の場合は、外気温度が還気温度より低い図２の場合と同じ動作を外気取入モータダンパー２１２、還気ダクトモータダンパー２３２、冷水２方弁１１１に行わせる。
【００２７】
空調制御手段は、還気温度が、室内設定温度と室内設定温度より高い所定の第２の温度の間の温度である場合、外気取入モータダンパー２１２を室内の換気に必要な所定の最小の開度にさせ、還気ダクトモータダンパー２３２を全開させ、冷水２方弁１１１を温度上昇に比例して開かせる。この場合、外気は熱交換器１１で冷却され、給気となり、室内に送られる。したがって、還気温度が室内設定温度から離れるほど、熱交換器１１に多くの冷却水が送られるため、給気温度は低くなり、還気温度は室内設定温度に近づく。還気温度が外気温度よりも低いため、外気を給気温度に冷やすよりも還気を給気温度に冷やす方が投入熱量は少なくなる。
【００２８】
空調制御手段は、還気温度が、室内設定温度より高い所定の第２の温度である場合、外気取入モータダンパー２１２を室内の換気に必要な所定の最小の開度にさせ、還気ダクトモータダンパー２３２を全開させ、冷水２方弁１１１を全開させる。この場合、外気は熱交換器１１で冷却され、給気として室内に送られる。したがって、冷却された給気が室内に送られ、還気温度は室内設定温度に近づく。外気温度が還気温度よりも低いため、還気を給気温度に冷やすよりも外気を給気温度に冷やす方が投入熱量は少なくなる。
【００２９】
上述の外気冷房システムにおいて、空調制御手段が行うデータ処理について、図４、図５、図６を参照して以下説明をする。
【００３０】
空調制御手段は、通信回線を通じて還気温度データを還気温度センサー２３１より受信し、室内設定温度以下の所定の第１の温度と還気温度を比較する（ステップＳ１）。還気温度が第１の温度より低い温度である場合はステップＳ２に処理を移し、還気温度が第一の温度以上である場合はステップＳ５に処理を移す。
【００３１】
空調制御手段は、通信回線を通じて外気取入モータダンパー２１２を制御し、外気取入モータダンパー２１２を換気に必要な最低開度にさせる（ステップＳ２）。
【００３２】
空調制御手段は、通信回線を通じて還気ダクトモータダンパー２３２を制御し、還気ダクトモータダンパー２３２を全開にさせる（ステップＳ３）。
【００３３】
空調制御手段は、通信回線を通じて冷水２方弁１１１を制御し、冷水２方弁１１１を全閉させる（ステップＳ４）。
【００３４】
空調制御手段は、通信回線を通じて還気温度データを還気温度センサー２３１より受信し、室内設定温度以下の所定の第１の温度と還気温度と入力部より入力された室内設定温度とを比較する（ステップＳ５）。還気温度が第１の温度以上であり室内設定温度より低い温度である場合はステップＳ６に処理を移し、還気温度が室内設定温度以上である場合はステップＳ９に処理を移す。
【００３５】
空調制御手段は、通信回線を通じて外気取入モータダンパー２１２を制御し、外気取入モータダンパー２１２の開度を、換気に必要な最低開度＋（１−換気に必要な最低開度）×（還気温度−第１の温度）／（室内設定温度−第１の温度）にさせる（ステップＳ６）。
【００３６】
空調制御手段は、通信回線を通じて還気ダクトモータダンパー２３２を制御し、還気ダクトモータダンパー２３２の開度を、（室内設定温度−還気温度）／（室内設定温度−第１の温度）にさせる（ステップＳ７）。
【００３７】
空調制御手段は、通信回線を通じて冷水２方弁１１１を制御し、冷水２方弁１１１を全閉させる（ステップＳ８）。
【００３８】
空調制御手段は、通信回線を通じて還気温度データを還気温度センサー２３１より受信し、入力部より入力された室内設定温度と還気温度と室内設定温度以上の所定の第２の温度とを比較する（ステップＳ９）。還気温度が室内設定温度以上であり第２の温度より低い温度である場合はステップＳ１０に処理を移し、還気温度が第２の温度以上である場合はステップＳ１７に処理を移す。
【００３９】
空調制御手段は、通信回線を通じて外気温度データを外気温度センサー２１１より受信し、通信回線を通じて還気温度データを還気温度センサー２３１より受信し、外気温度と還気温度とを比較する（ステップＳ１０）。還気温度が室内設定温度以上であり第２の温度より低い温度である場合はステップＳ１０に処理を移し、還気温度が第２の温度以上である場合はステップＳ１７に処理を移す。
【００４０】
空調制御手段は、通信回線を通じて外気取入モータダンパー２１２を制御し、外気取入モータダンパー２１２を全開させる（ステップＳ１１）。
【００４１】
空調制御手段は、通信回線を通じて還気ダクトモータダンパー２３２を制御し、還気ダクトモータダンパー２３２を全閉させる（ステップＳ１２）。
【００４２】
空調制御手段は、通信回線を通じて冷水２方弁１１１を制御し、冷水２方弁１１１の開度を（還気温度−室内設定温度）／（第２の温度−室内設定温度）にさせる（ステップＳ１３）。
【００４３】
空調制御手段は、通信回線を通じて外気取入モータダンパー２１２を制御し、外気取入モータダンパー２１２を換気に必要な最低開度にさせる（ステップＳ１４）。
【００４４】
空調制御手段は、通信回線を通じて還気ダクトモータダンパー２３２を制御し、還気ダクトモータダンパー２３２を全開させる（ステップＳ１５）。
【００４５】
空調制御手段は、通信回線を通じて冷水２方弁１１１を制御し、冷水２方弁１１１の開度を（還気温度−室内設定温度）／（第２の温度−室内設定温度）にさせる（ステップＳ１６）。
【００４６】
空調制御手段は、通信回線を通じて外気温度データを外気温度センサー２１１より受信し、通信回線を通じて還気温度データを還気温度センサー２３１より受信し、外気温度と還気温度とを比較する（ステップＳ１７）。還気温度が室内設定温度以上であり第２の温度より低い温度である場合はステップＳ１８に処理を移し、還気温度が第２の温度以上である場合はステップＳ２１に処理を移す。
【００４７】
空調制御手段は、通信回線を通じて外気取入モータダンパー２１２を制御し、外気取入モータダンパー２１２を全開させる（ステップＳ１８）。
【００４８】
空調制御手段は、通信回線を通じて還気ダクトモータダンパー２３２を制御し、還気ダクトモータダンパー２３２を全閉させる（ステップＳ１９）。
【００４９】
空調制御手段は、通信回線を通じて冷水２方弁１１１を制御し、冷水２方弁１１１を全開させる（ステップＳ２０）。
【００５０】
空調制御手段は、通信回線を通じて外気取入モータダンパー２１２を制御し、外気取入モータダンパー２１２を換気に必要な最低開度にさせる（ステップＳ２１）。
【００５１】
空調制御手段は、通信回線を通じて還気ダクトモータダンパー２３２を制御し、還気ダクトモータダンパー２３２を全開させる（ステップＳ２２）。
【００５２】
空調制御手段は、通信回線を通じて冷水２方弁１１１を制御し、冷水２方弁１１１を全開させる（ステップＳ２３）。
【００５３】
以上のように、本実施例の外気冷房システムの制御方法によれば、外気温度が還気温度以下の場合は、還気を空調機で冷やすより、外気を空調機で冷やす方が、所定の給気温度を得るために必要となる投入熱量を少なくすることができるため、給気温度より外気温度が高い場合にも外気導入を行い、給気温度まで必要分のみ空調機により冷却することで、外気冷房を使用する温度範囲が広くなり、一年のうち、一日の外気温度の変化が還気温度を跨ぐ時期においては、同じ投入熱量で午前中と日没以降において、現状より長い時間冷房運転を行うことができる。
【００５４】
以上、実施例について説明したが、本発明はこれに限られるものではない。
【００５５】
上述の実施例では、還気温度が室内設定温度以下では冷水２方弁は常に全閉であり、給気は冷却されなかったが、これに限られるものではない、例えば、外気取入モータダンパーと、換気ダクトモータダンパーの制御は実施例と同じであって、給気ダクトに給気温度センサーを設け、給気温度を常に一定温度にするよう冷水２方弁を制御してもよい。
【００５６】
上述の実施例では、還気温度が第１の温度と、室内設定温度と、第２の温度とである場合に外気取入モータダンパー、還気ダクトモータダンパー及び冷水２方弁の動作が変更されていたが、これに限られるものではない。例えば、室内設定温度に所定の温度を加えた温度、又は室内設定温度より所定の温度を減じた温度を室内設定温度の代わりに用いても良い。
【図面の簡単な説明】
【００５７】
【図１】本発明に係る外気冷房システムを示す図。
【図２】本発明の外気冷房システムを動作させる場合の外気温度より還気温度が高い場合の還気温度と各部の動作の相関を示す図。
【図３】本発明の外気冷房システムを動作させる場合の外気温度より還気温度が高い場合の還気温度と各部の動作の相関を示す図。
【図４】本発明の外気冷房システムを動作させる場合の空調制御手段の処理を示すフローチャート。
【図５】本発明の外気冷房システムを動作させる場合の空調制御手段の処理を示すフローチャート。
【図６】本発明の外気冷房システムを動作させる場合の空調制御手段の処理を示すフローチャート。
【符号の説明】
【００５８】
１    空調機
２    室内
１１    熱交換器
１２    送風機
１３    冷却装置
２１    外気取入ダクト
２２    給気ダクト
２３    換気ダクト
２４    排気ダクト
１１１    冷水２方弁
２１１    外気温度センサー
２１２    外気取入モータダンパー
２３１    還気温度センサー
２３２    還気ダクトモータダンパー
【図１】
2009198089.tif 000003
【図２】
2009198089.tif 000004
【図３】
2009198089.tif 000005
【図４】
2009198089.tif 000006
【図５】
2009198089.tif 000007
【図６】
2009198089.tif 000008